(57)【要約】【課題】  陳列棚の棚板部に横並びの列設状態で載置された商品の側面を支持する支持板部を備えた仕切板に関して、棚板部に正面向きの姿勢で載置された商品を背部から支持する機能を兼備した仕切板を提供する。【解決手段】  仕切板の支持板部は、正面向き姿勢とされた商品の起立後傾姿勢を規定するように棚板部の上面に対して角度θ（θ＜９０度）で傾斜せしめられた前縁を形成すると共に、該前縁に設けたヒンジを介して開放位置と閉鎖位置の間で開閉自在とされたフラップを設けている。フラップは、閉鎖位置において支持板部の一側面に格納され、開放位置において支持板部にほぼ直交するように展開され、該フラップの直交展開姿勢を保持可能とする保持手段を備えている。【選択図】  図１
2004313811.tif 000002
【特許請求の範囲】
【請求項１】
商品(2)を横並びの列設状態にて載置せしめる棚板部(3)と、商品の背部に臨む背板部(4)とを備えた陳列棚に関して、商品の側面を支持する支持板部(8)を備えた仕切板(7)を前記陳列棚の背板部(4)に装着して成る商品仕切装置において、前記仕切板(7)は、棚板部(3)に正面向きの姿勢で載置された商品(2a)を背部から支持する機能を兼備した構成であり、
仕切板(7)の前記支持板部(8)は、正面向き姿勢とされた商品(2a)の起立後傾姿勢を規定するように棚板部(3)の上面に対して角度θ（θ＜９０度）で傾斜せしめられた前縁(8a)を形成すると共に、該前縁(8a)に設けたヒンジ(10)を介して開放位置と閉鎖位置の間で開閉自在とされたフラップ(11)を設けており、
前記フラップ(11)は、閉鎖位置において支持板部(8)の一側面に格納され、開放位置において支持板部(8)にほぼ直交するように展開され、該フラップの直交展開姿勢を保持可能とする保持手段(12)を備えて成ることを特徴とする陳列棚における商品仕切装置。
【請求項２】
前記フラップ(11)は、補助片部(19)を一体に備えると共に、該補助片部(19)に折曲ヒンジ(20)を介して山折方向に折曲自在な保持手段(12)を延設しており、
フラップ(11)をヒンジ(10)を介して支持板部(8)の側面に向けて回動したとき、同一平面上に展開されたフラップ(11)並びに補助片部(19)及び保持手段(12)を支持板部(8)の側面とほぼ面一状態に格納する凹部(21)を該支持板部(8)に凹設しており、
フラップ(11)を補助片部(19)と共にヒンジ(10)を介して支持板部(8)にほぼ直交する位置まで回動し、保持手段(12)を折曲ヒンジ(20)を介して山折方向に折曲したとき、該保持手段(12)の先端を支持板部(8)に係止する爪手段(27)(28)を設けて成ることを特徴とする請求項１に記載の陳列棚における商品仕切装置。
【発明の詳細な説明】
【技術分野】
【０００１】
本発明は、ケース入りのビデオカセットや書籍のような商品を店舗において横並びの列設状態にて展示し陳列するための陳列棚に関し、特に、このような陳列棚における商品仕切装置に関する。
【背景技術】
【０００２】
図１は、従来技術と本発明技術を結合した陳列棚を示しており、同図に基づいて、従来技術の部分を説明すると、陳列棚１は、商品２を横並びの列設状態にて載置せしめる棚板部３と、商品２の背部に臨む背板部４とを備えており、商品２の側面を支持する仕切板５を前記背板部４に着脱自在に装着している。尚、棚板部３と背板部４は、相互に別体に構成される場合と、一体に構成される場合とがある。
【０００３】
背板部４には、縦方向に延びるスロット６が長手方向（商品の列設方向）に等間隔をあけて多数形成されており、該スロット６を介して仕切板５を背板部４に着脱自在に装着せしめる。即ち、仕切板５は、商品の側面に沿わしめられる板状本体５ａの上縁に連ねて後方に突出する舌片５ｂを備え、舌片５ｂの下縁に切込み状の係止溝５ｃを形成している。  
【０００４】
舌片５ｂは、スロット６に対して挿脱自在であり、スロット６に挿入した後、下方移動せしめることにより係止溝５ｃをスロット６の下端縁に係止するので、これにより抜止状に固定される。この状態から、上方に持ち上げることにより係止溝５ｃの係止を解くと、舌片５ｂをスロット６から抜取ることができる。
【特許文献１】実開平１−９５１５７号公報
【特許文献２】特開２０００−２１７６７７号公報
【特許文献３】特開２０００−３２５１９２号公報
【発明の開示】
【発明が解決しようとする課題】
【０００５】
従来技術によれば、仕切板５は、選択された任意のスロット６に装着することが可能である。従って、棚板部の上に列設された商品群の端部に臨むスロット６を選択し、該スロット６に仕切板５を装着することにより、商品２の横倒れを防止できる。
【０００６】
然しながら、ケース入りのビデオカセットや書籍のような商品は、販売促進のため、図１に示すピーアール商品２ａのように、正面向きの姿勢で棚板部３に載置することが望まれるが、従来の仕切板５は、このような正面向きの商品２ａを好適に支持する機能を有しないため、別途、専用の支持具を必要とするという問題がある。
【課題を解決するための手段】
【０００７】
本発明は、上記課題を解決した陳列棚における商品仕切装置を提供するものであり、その手段として構成したところは、商品を横並びの列設状態にて載置せしめる棚板部と、商品の背部に臨む背板部とを備えた陳列棚に関して、商品の側面を支持する支持板部を備えた仕切板を前記陳列棚の背板部に装着して成る商品仕切装置において、前記仕切板は、棚板部に正面向きの姿勢で載置された商品を背部から支持する機能を兼備した構成であり、仕切板の前記支持板部は、正面向き姿勢とされた商品の起立後傾姿勢を規定するように棚板部の上面に対して角度θ（θ＜９０度）で傾斜せしめられた前縁を形成すると共に、該前縁に設けたヒンジを介して開放位置と閉鎖位置の間で開閉自在とされたフラップを設けており、前記フラップは、閉鎖位置において支持板部の一側面に格納され、開放位置において支持板部にほぼ直交するように展開され、該フラップの直交展開姿勢を保持可能とする保持手段を備えて成る点にある。
【０００８】
本発明の好ましい実施形態において、前記フラップは、補助片部を一体に備えると共に、該補助片部に折曲ヒンジを介して山折方向に折曲自在な保持手段を延設している。そして、フラップをヒンジを介して支持板部の側面に向けて回動したとき、同一平面上に展開されたフラップ並びに補助片部及び保持手段を支持板部の側面とほぼ面一状態に格納する凹部を該支持板部に凹設している。その一方において、フラップを補助片部と共にヒンジを介して支持板部にほぼ直交する位置まで回動し、保持手段を折曲ヒンジを介して山折方向に折曲したとき、該保持手段の先端を支持板部に係止する爪手段が設けられている。
【発明の効果】
【０００９】
請求項１に記載の本発明によれば、仕切板７は、支持板部８に格納自在かつ展開自在なフラップ１１を設け、該フラップ１１を開放することにより支持板部８にほぼ直交するように展開せしめ、該直交展開姿勢を保持手段１２により保持できる構成であるから、仕切板７は、フラップ１１を格納した状態で、棚板部３に横並び状に列設された商品２を側面から支持し仕切るという機能の他に、棚板部３に正面向きの姿勢で展示されるピーアール商品２ａを背面から支持するという機能を兼備し、同一構成とした仕切板７により必要に応じて二つの機能を使い分けることができるという効果がある。
【００１０】
この際、支持板部８の前縁８ａがピーアール商品２ａの起立後傾角度を規定するように棚板部３の上面に対して角度θ（θ＜９０度）で傾斜せしめられ、該前縁８ａに設けたヒンジ１０を介してフラップ１１を開閉自在に構成しているので、該ヒンジ１０を介してフラップ１１を支持板部８に対してほぼ直交する位置まで展開し保持手段１２で保持した状態において、該フラップ１１が前記角度θに沿ってピーアール商品２ａの背面を好適に支持するという効果がある。
【００１１】
更に、請求項２に記載の本発明によれば、フラップ１１をヒンジ１０を介して支持板部８の側面に向けて回動したとき、同一平面上に展開されたフラップ１１並びに補助片部１９及び保持手段１２を支持板部８に凹設された凹部２１に格納し、該支持板部８の側面とほぼ面一状態に格納できるという効果がある。そして、フラップ１１を補助片部１９と共にヒンジ１０を介して支持板部８にほぼ直交する位置まで回動した状態では、保持手段１２を折曲ヒンジ２０を介して山折方向に折曲するだけで、爪手段２７、２８により保持手段１２の先端が支持板部８に係止され、これによりフラップ１１を固定保持し、ピーアール商品２ａの背面を好適に支持できるという効果がある。
【発明を実施するための最良の形態】
【００１２】
以下図面に基づいて本発明の好ましい実施形態を詳述する。
【００１３】
図１に示すように、陳列棚１は、ケース入りのビデオカセット又はＣＤ或いはＤＶＤ等のディスクや、書籍等の商品２を横並びの列設状態にて載置せしめる棚板部３と、商品２の背部に臨む背板部４とを備えている。この点は、従来技術について説明した上述の構成と同様である。
【００１４】
本発明において、陳列棚１の背板部４に装着されることにより商品２の側面を支持する仕切板６は、以下に説明するような構成を備えており、仕切板６を着脱自在に装着せしめるための背板部４は、以下に説明するような構成を備えている。
【００１５】
図１ないし図３に示すように、仕切板６は、棚板部３の上に横並び状に列設された商品２の側面に沿う支持板部８と、背板部に沿う後板部９を備えており、合成樹脂により断面ほぼＴ字形に一体成形されている。
【００１６】
図２に示すように、仕切板７の支持板部８は、前縁に設けた薄肉ヒンジ等のヒンジ１０を介して開閉自在とされたフラップ１１を設けており、該フラップ１１は、閉止位置（図２参照）において支持板部８の一側面とほぼ面一になるように格納され、開放位置（図５参照）において支持板部８にほぼ直交するように展開され、該直交姿勢を保持可能とする保持手段１２を備えている。
【００１７】
（仕切板の後板部の構成）
図３に示すように、仕切板７の後板部９は、後面に陳列棚１の背板部４に対向する案内突起１３を突設し、該案内突起１３の突出端に幅広板状の抜止部１４を形成している。案内突起１３は、後板部９の後面から突出する横一文字状のリブにより構成されており、図例の場合、案内突起１３の両端の２個所に位置する一対の抜止部１４、１４を設けているが、抜止部１４は、１個所にのみ設けても良い。また、図例の場合、抜止部１４の輪郭をほぼ円形ないし楕円形に形成しているが、その形状は問わない。尚、後板部９の後面と抜止部１４の間には、スリット１５の縁部を嵌合可能とする隙間Ｓが形成されている。即ち、隙間Ｓは、背板部４の肉厚に相当する。
【００１８】
図１に示すように、陳列棚１の背板部４は、横向きの長手方向（商品２の列設方向）に延びるスリット１５を形成しており、該スリット１５は、部分的にスリット幅を拡大せしめた孔部１６を形成している。スリット１５と孔部１６の関係は、仕切板７の抜止部１４が孔部１６に対して通過自在とされるが、該抜止部１４がスリット１５に対しては通過不能とされるような関係にある。
【００１９】
即ち、図４（Ａ）に示すように、スリット１５の上下幅をＳＷ１、孔部１６の上下幅をＳＷ２とし、案内突起１３の上下幅をＧＷ１、抜止部１４の上下幅をＧＷ２としたとき、ＳＷ１＜ＳＷ２、ＧＷ１＜ＧＷ２の関係の下において、ＧＷ１＜ＳＷ１、ＧＷ２＜ＳＷ２とされているので、案内突起１３及び抜止部１４をスリット１５及び孔部１６に対して挿脱自在に挿通せしめることができる。
【００２０】
前述のように、案内突起１３により形成された隙間Ｓは、背板部４の肉厚に相当せしめられ、該隙間Ｓにスリット１５の縁部を嵌合自在としているので、図４（Ａ）の左側に示すように、案内突起１３及び抜止部１４をスリット１５及び孔部１６に挿通せしめた後、図４（Ａ）の右側に示すように、案内突起１３をスリット１５に沿って自由に移動せしめることができる。即ち、スリット１５の幅ＳＷ１に対して、案内突起１３の幅ＧＷ１をＳＷ１＞ＧＷ１となるように構成することによりクリアランスを形成している。そして、抜止部１４の幅ＧＷ２とスリット１５の幅ＳＷ１をＧＷ２＞ＳＷ１に形成しているので、図４（Ａ）の右側に示すように抜止部１４を孔部１６から外れた位置に移動せしめると、該抜止部１４により案内突起１３の抜止めが果たされる。尚、図示実施形態の場合、一対の抜止部１４、１４を設けているので、これに対応する一対の孔部１６、１６が形成されている。
【００２１】
図４に示すように、案内突起１３は、断面の対角線上に位置する上下面にテーパ面１７ａ、１７ｂを形成している。このようなテーパ面は、案内突起１３の断面に関して描かれる一対の対角線のうち、何れか一方の対角線上に形成しても良いが、図例の場合、両方の対角線上に位置して形成しており、従って、一方の対角線上に位置するテーパ面１７ａ、１７ｂと、他方の対角線上に位置するテーパ面１８ａ、１８ｂが形成されている。
【００２２】
このため、仕切板７をスリット１５に沿って移動せしめ、支持板部８により商品２の側面を支持せしめた状態で、前記クリアランスを介して、商品２のもたれかけ等により支持板部８に作用する外力により案内突起１３にモーメントを生じたときは、案内突起１３を前記クリアランスを介して回動せしめると共に、それ以上に、上下のテーパ面がそれぞれスリット１５の上下壁面１５ａ、１５ｂに接触するまで回動せしめるように構成されている。
【００２３】
即ち、スリット１５の内部において案内突起１３がガタツキ等を生じないようにするためには、案内突起１３とスリット１５の間のクリアランスを大きく形成することができない。そして、クリアランスが小さいと、前述のような外力により案内突起１３にモーメントが生じた場合でも、案内突起１３を必要十分に回動せしめることがでない。換言すると、案内突起１３が十分に回動せず、スリット１５とほぼ平行な姿勢を維持するときは、支持板部８に商品２をもたれかけさせたときに生じる外力の大部分がスリット１５と平行な方向の力として作用するため、案内突起１３がスリット１５に沿って容易に摺動し、支持板部８を商品２から離間してしまうという問題がある。
【００２４】
これに対して、案内突起１３にテーパ面１７ａ、１７ｂ（１８ａ、１８ｂ）を設けた構成によれば、図４（Ｂ）に示すように、支持板部８が反時計針方向Ｆ１の外力を受けたときは、テーパ面１７ａをスリットの上壁面１５ａに接触すると共にテーパ面１７ｂをスリットの下壁面１５ｂに接触するまで、案内突起１３を十分に回動せしめることができる。反対に、図４（Ｃ）に示すように、支持部８が時計針方向Ｆ２の外力を受けたときは、テーパ面１８ａをスリットの上壁面１５ａに接触すると共にテーパ面１８ｂをスリットの下壁面１５ｂに接触するまで、案内突起１３を十分に回動せしめることができる。従って、このように案内突起１３を十分に回動せしめることにより支持板部８を垂直姿勢から傾斜姿勢へと姿勢変更させることができ、これにより、支持板部８に商品２をもたれかけさせたときに生じる外力は、スリット１５と平行な方向に作用する分力の他に、案内突起１３をスリット１５の上下壁面１５ａ、１５ｂに圧接せしめる方向に作用する分力を生じるので、案内突起１３がスリット１５に沿って自由に移動することを阻止できる。
【００２５】
このため、案内突起１３は、スリット１５の内部で停止状態を保持せしめられ、仕切板７の支持板部８を商品２の側面から離間せしめるようなことはない。尚、商品２のもたれかけ等による外力から解放すると、案内突起１３はスリット１５と平行な姿勢に戻るので、クリアランスを介してスリット１５に沿って円滑に摺動せしめることができる。
【００２６】
図１に示す実施形態において、背板部４には、孔部１６を備えたスリット１５の複数本が上下に間隔をあけて平行に形成されている。図例の場合、２本のスリット１５、１５が設けられ、その間に、従来技術として説明した仕切板５を装着せしめるためのスロット６が設けられているが、３本以上のスリット１５を設けても良い。
【００２７】
従って、上下のスリット１５、１５を選択することにより、棚板部３に載置した商品２に対して、仕切板７を上下位置をずらせた状態で装着することが可能になる。
【００２８】
（仕切板のフラップの構成）
仕切板７は、前述のように上下位置を選択しながら、図１に示すように、正面向きの姿勢で棚板部３に載置されたピーアール商品２ａをフラップ１１により背部から好適に支持することができる。
【００２９】
仕切板７によりピーアール商品２ａの背部を支持せしめる場合、開放されたフラップ１１が支持板部８に対してほぼ直交するように展開せしめられ、該フラップ１１のほぼ全面によりピーアール商品２ａの背面を支持することができる。
【００３０】
図５に示すように、支持板部８の前縁８ａは、ピーアール商品２ａの起立後傾角度を規定するように、棚板部３の上面とほぼ平行な下縁８ｂに対して、角度θ（θ＜９０度）で傾斜せしめられており、該前縁８ａに沿ってヒンジ１０を設けることにより、展開されたフラップ１１が角度θにより規定された面に沿うように構成している。
【００３１】
フラップ１１は、ヒンジ１０を介して同行回動せしめられる補助片部１９を一体に備えており、該補助片部１９に折曲ヒンジ２０を介して折曲自在な保持手段１２を延設している。補助片部１９に対し折曲ヒンジ２０を介して保持手段１２を展開した状態で、フラップ１１並びに補助片部１９及び保持手段１２は、同一平面を構成する板状に形成される。この展開されたフラップ１１並びに補助片部１９及び保持手段１２を前縁８ａのヒンジ１０を介して支持板部８の側面に向けて閉鎖せしめたとき、ほぼ面一に格納せしめるための凹部２１が支持板部８の側面に凹設されている。
【００３２】
フラップ１１の先端縁１１ａ（ヒンジ１０の反対側に位置する端縁）には、一対の係止爪２２、２２が設けられている。これに対して、図６（Ａ）に示すように、支持板部８には、該係止爪２２、２２を着脱自在に係止せしめる保持爪２３、２３が設けられている。従って、フラップ１１を凹部２１に押し込むと、係止爪２２が保持爪２３にスナップ形式で嵌着される。
【００３３】
一対の保持爪２３、２３の間に位置して、指入れ孔２４が支持板部８に貫通して形成されており、図６（Ｂ）に示すように、フラップ１１を凹部２１に格納した状態で、先端縁１１ａが指入れ孔２４の少なくとも一部分を被うように構成している。従って、ユーザが指入れ孔２４に指先等を挿入することによりフラップ１１を押すと、前述のように嵌着された係止爪２２と保持爪２３の係止が解除され、ヒンジ１０を介してフラップ１１を開放せしめることができる。
【００３４】
補助片部１９には、貫通する窓孔２５が開設されると共に、窓孔２５の縁部に臨んで突出する係止爪２６を形成せしめており、図６（Ｃ）に示すように、支持板部８には、該係止爪２６を着脱自在に係止せしめる保持爪２７が凹部２１から隆起するように形成されている。従って、補助片部１９を凹部２１に押し込むと、窓孔２５が隆起した保持爪２７を受け入れると共に、係止爪２６が保持爪２７にスナップ形式で嵌着される。
【００３５】
補助片部１９から同一板状に延設された保持手段１２は、折曲ヒンジ２０により山折方向にのみ回動自在であり、従って、谷折方向には回動しないので、補助片部１９と共に凹部２１に格納され保持される。保持手段１２の先端縁には、断面ほぼＬ形の係止爪２８が設けられている。そこで、図６（Ｄ）に示すように、ヒンジ１０を介して、フラップ１１と共に補助片部１９を支持板部８に直交する開放位置まで回動し展開せしめた状態で、保持手段１２を折曲ヒンジ２０により山折方向に回動せしめると、係止爪２８が保持爪２７に係止せしめられ、保持手段１２の展開方向の回動を阻止する。従って、これにより、フラップ１１及び補助片部１９は、支持板部８に直交する開放姿勢のまま保持される。
【図面の簡単な説明】
【００３６】
【図１】本発明の１実施形態に係る陳列棚と仕切板を示す斜視図である。
【図２】本発明の１実施形態に係る仕切板を示しており、フラップを格納した状態を正面側から示す斜視図である。
【図３】本発明の１実施形態に係る仕切板を示しており、フラップを格納した状態を背面側から示す斜視図である。
【図４】本発明の１実施形態に係る仕切板の作用を示しており、（Ａ）は抜止部及び案内突起を孔部及びスリットに挿入した状態と、案内突起をスリットに沿って移動せしめた状態を、それぞれ示す断面図、（Ｂ）は案内突起に反時計針方向のモーメントが作用したときの状態を示す断面図、（Ｃ）は案内突起に時計針方向のモーメントが作用したときの状態を示す断面図である。
【図５】本発明の１実施形態に係る仕切板を示しており、フラップを開放した状態を正面側から示す斜視図である。
【図６】本発明の１実施形態に係る仕切板の各断面を示しており、（Ａ）は図２のＡ−Ａ線断面図、（Ｂ）は図２のＢ−Ｂ線断面図、（Ｃ）は図２のＣ−Ｃ線断面図、（Ｄ）は保持手段の作用を示す断面図である。
【符号の説明】
【００３７】
１    陳列棚
２    商品
２ａ  ピーアール商品
３    棚板部
４    背板部
７    仕切板
８    支持板部
９    後板部
１０    ヒンジ
１１    フラップ
１２    保持手段
１３    案内突起
１４    抜止部
１５    スリット
１６    孔部
１７ａ、１７ｂ、１８ａ、１８ｂ  テーパ面
１９    補助片部
２０    折曲ヒンジ
２１    凹部
２７    保持爪
２８    係止爪
【図１】
2004313811.tif 000003
【図２】
2004313811.tif 000004
【図３】
2004313811.tif 000005
【図４】
2004313811.tif 000006
【図５】
2004313811.tif 000007
【図６】
2004313811.tif 000008